(57)【要約】  ユーザ識別カードを用いて端末を暗号化する方法であって、端末はユーザ識別カードの唯一の識別番号を記憶すること、端末はユーザの操作を検出するとともにユーザが設定した認証条件により現在のユーザを認証し、現在のユーザを認証することは、端末が現在のユーザ識別カードの唯一の識別番号を読み取り、読み取られた現在のユーザ識別カードの唯一の識別番号と記憶されたユーザ識別カードの唯一の識別番号を比較し、両者が同じである場合、端末が正常な作動状態に入るように制御し、両者が異なる場合、端末が自己ロックするか又は現在のユーザのアクセスを禁止することであることを含む。本発明はユーザ識別カードを利用して移動端末を暗号化し、端末の暗号化技術をより安全で信頼でき、ユーザの体験を向上させる。【選択図】図１
2015523820.tif 000002
【特許請求の範囲】
【請求項１】
ユーザ識別カードを用いて端末を暗号化する方法であって、
端末はユーザ識別カードの唯一の識別番号を記憶することと、
端末はユーザの操作を検出するとともにユーザにより設定された認証条件によって現在のユーザを認証し、前記現在のユーザを認証することは、端末が現在のユーザ識別カードの唯一の識別番号を読み取り、読み取られた現在のユーザ識別カードの唯一の識別番号と記憶されたユーザ識別カードの唯一の識別番号を比較し、両者が同じである場合、前記端末が正常な作動状態に入り、両者が異なる場合、前記端末が自己ロックする又は現在のユーザのアクセスを禁止することを指すこととを含むユーザ識別カードを用いて端末を暗号化する方法。
【請求項２】
前記ユーザが設定した認証条件は、現在のユーザの起動操作を検出する際、現在のユーザを認証することを含む請求項１に記載の方法。
【請求項３】
前記ユーザが設定した認証条件は、現在のユーザがユーザの設定した暗号化のデータ及び/又はファイル及び/又はフォルダ及び/又は仮想記憶空間をアクセスする際、現在のユーザを認証することを含む請求項１に記載の方法。
【請求項４】
前記ユーザが設定した認証条件は、ユーザにより設定された認証時間又は時間間隔によって、現在のユーザを認証することを含む請求項１に記載の方法。
【請求項５】
前記端末が自己ロックした後又は現在のユーザのアクセスを禁止した後、移動通信ネットワークサーバに前記端末の位置情報を報告することを更に含む請求項１〜４のいずれか一項に記載の方法。
【請求項６】
前記端末が自己ロックした後又は現在のユーザのアクセスを禁止した後、ユーザの設定した暗号化のデータ及び/又はファイル及び/又はフォルダ及び/又は仮想記憶空間を削除することをさらに含む請求項１〜４のいずれか一項に記載の方法。
【請求項７】
ユーザ識別カードを用いて端末を暗号化する方法であって
端末がユーザ識別カードの唯一の識別番号を記憶するステップと、
移動通信ネットワークサーバが端末の唯一の識別番号とユーザ識別カードの唯一の識別番号を記憶するステップと、
移動通信ネットワークサーバが前記ユーザ識別カードを介して前記端末へ認証請求を送信するステップと、
端末が現在のユーザ識別カードの唯一の識別番号を読み取り、読み取られた現在のユーザ識別カードの唯一の識別番号と記憶されたユーザ識別カードの唯一の識別番号を比較し、両者が同じである場合、前記端末が正常な作動状態に入り、異なる場合、前記端末が自己ロックする又は現在のユーザのアクセスを禁止することを含む、端末が前記移動通信ネットワークサーバにより送信された認証請求によって現在のユーザを認証するステップと、を含むユーザ識別カードを用いて端末を暗号化する方法。
【請求項８】
前記端末が自己ロックした後又は現在のユーザのアクセスを禁止した後、移動通信ネットワークサーバへ前記端末の位置情報を報告することをさらに含む請求項７に記載の方法。
【請求項９】
前記端末が自己ロックした後又は現在のユーザのアクセスを禁止した後、ユーザにより設定された暗号化のデータ及び/又はファイル及び/又はフォルダ及び/又は仮想記憶空間を削除すること、をさらに含む請求項７に記載の方法。
【請求項１０】
ユーザ識別カードを用いて端末を暗号化するシステムであって、
端末に設置されて、ユーザ識別カードの唯一の識別番号を記憶するように設定される記憶モジュールと、
端末に設置されて、ユーザの操作を検出し、ユーザにより設定された認証条件によって、現在のユーザ識別カードの唯一の識別番号を読み取り、読み取られた現在のユーザ識別カードの唯一の識別番号と前記記憶モジュールに記憶されたユーザ識別カードの唯一の識別番号を比較するように現在のユーザを認証するように設定される認証モジュールと、
端末に設置されて、認証モジュールの認証結果により端末をロックする又は現在のユーザのアクセスを禁止するように設定される制御モジュールと、を備えるユーザ識別カードを用いて端末を暗号化するシステム。
【請求項１１】
前記ユーザが設定した認証条件は、現在のユーザの起動操作を検出する際、現在のユーザを認証することを含む請求項１０に記載のシステム。
【請求項１２】
前記ユーザが設定した認証条件は、現在のユーザがユーザにより設定された暗号化のデータ及び/又はファイル及び/又はフォルダ及び/又は仮想記憶空間をアクセスする際、現在のユーザを認証することを含む請求項１０に記載のシステム。
【請求項１３】
前記ユーザが設定した認証条件は、ユーザにより設定された認証時間又は時間間隔によって現在のユーザを認証することを含む請求項１０に記載のシステム。
【請求項１４】
端末に設置されて、前記端末がロックされる又は現在のユーザのアクセスが禁止された後、移動通信ネットワークサーバへ前記端末の位置情報を報告するように設定される位置報告モジュール、を更に備える請求項１０〜１３のいずれか一項に記載のシステム。
【請求項１５】
端末に設置されて、前記端末がロックされる又は現在のユーザのアクセスが禁止された後、ユーザにより設定された暗号化のデータ及び/又はファイル及び/又はフォルダ及び/又は仮想記憶空間を削除するように設定される削除モジュールを更に備える請求項１０〜１３のいずれか一項に記載のシステム。
【請求項１６】
ユーザ識別カードを用いて端末を暗号化するシステムであって、
端末に設置されて、ユーザ識別カードの唯一の識別番号を記憶するように設定される記憶モジュールと、
移動ネットワークサーバに設置されて、ユーザ識別カードの唯一の識別番号と端末の唯一の識別番号を記憶するように設定される標識記憶モジュールと、
移動ネットワークサーバに設置されて、前記ユーザ識別カードを介して前記端末へ認証請求を送信するように設定される認証請求モジュールと、
端末に設置されて、前記移動通信ネットワークサーバにより送信された認証請求により、現在のユーザ識別カードの唯一の識別番号を読み取り、読み取られた現在のユーザ識別カードの唯一の識別番号と前記記憶モジュールに記憶されたユーザ識別カードの唯一の識別番号を比較するように現在のユーザを認証するように設定される認証モジュールと、
端末に設置されて、認証モジュールの認証結果により端末をロックする又はユーザのアクセスを禁止するように設定される制御モジュールと、を備えるユーザ識別カードを用いて端末を暗号化するシステム。
【請求項１７】
端末に設置されて、端末がロックされる又は現在のユーザのアクセスが禁止された後、移動通信ネットワークサーバへ前記端末の位置情報を報告するように設定される位置報告モジュールを更に備える請求項１６に記載のシステム。
【請求項１８】
端末に設置されて、端末がロックされる又は現在のユーザのアクセスが禁止された後、ユーザにより設定された暗号化のデータ及び/又はファイル及び/又はフォルダ及び/又は仮想記憶空間を削除するように設定される削除モジュールを更に備える請求項１６に記載のシステム。
【発明の詳細な説明】
【技術分野】
【０００１】
本発明は、端末暗号化技術に関し、具体的には、ユーザ識別カードを用いて端末を暗号化する方法とシステムに関する。
【背景技術】
【０００２】
移動端末技術の発展に従って、移動端末を使用する人はますます多くなり、移動端末の暗号化技術に対してもより高い要求を提出し、例えば端末を使用する際、以下の状況が存在する可能性がある：ユーザは端末、特に大きいタブレットＰＣを、どこにでも持ち歩くことが不可能であり、ユーザが端末から離れる際、端末を紛失し又はプライバシーデータを漏洩する可能性があり、又は端末に他人見たくないデータ又はファイルを記憶して、ユーザは端末を暗号化し、特にハードウェア付き暗号化する必要とする可能性があり、ユーザ識別カード（例えばＳＩＭカード、ＵＳＩＭカードなど）は各種のマシン・カード分離端末に必要なハードウェア設備であり、更に端末に対して、ユーザ識別カードの挿し抜けが易しく、特にタブレットＰＣに対して、ユーザ識別カードの挿し抜けが非常に簡単である。しかし、関連の技術において、現在にユーザ識別カードを用いて端末を暗号化する技術がない。
【発明の概要】
【発明が解決しようとする課題】
【０００３】
本発明は、上記問題に対して、ユーザ識別カードを利用して端末を暗号化するユーザ識別カードを用いて端末を暗号化する方法とシステムを提供することを目的とする。具体的な技術方案は以下の通りである。
【課題を解決するための手段】
【０００４】
ユーザ識別カードを用いて端末を暗号化する方法であって、
端末はユーザ識別カードの唯一の識別番号を記憶すること、及び
端末はユーザの操作を検出するとともにユーザが設定した認証条件により現在のユーザを認証し、前記現在のユーザを認証することは、端末が現在のユーザ識別カードの唯一の識別番号を読み取り、読み取られた現在のユーザ識別カードの唯一の識別番号と記憶されたユーザ識別カードの唯一の識別番号を比較し、両者が同じである場合、前記端末が正常な作動状態に入り、両者が異なる場合、前記端末が自己ロックするか又は現在のユーザのアクセスを禁止することを指すことを含む。
【０００５】
前記ユーザが設定した認証条件は、現在のユーザの起動操作を検出する際、現在のユーザを認証することを含む。
【０００６】
前記ユーザが設定した認証条件は、現在のユーザがユーザの設定した暗号化のデータ及び/又はファイル及び/又はフォルダ及び/又は仮想記憶空間をアクセスする際、現在のユーザを認証することを含む。
【０００７】
前記ユーザが設定した認証条件は、ユーザが設定した認証時間又は時間間隔により、現在のユーザを認証することを含む。
【０００８】
該方法は、前記端末が自己ロックするか又は現在のユーザのアクセスを禁止した後、移動通信ネットワークサーバに前記端末の位置情報を報告することを更に含む。
【０００９】
該方法は前記端末が自己ロックするか又は現在のユーザのアクセスを禁止した後、ユーザが設定した暗号化のデータ及び/又はファイル及び/又はフォルダ及び/又は仮想記憶空間を削除することをさらに含む。
【００１０】
本発明は、
端末はユーザ識別カードの唯一の識別番号を記憶するステップと、
移動通信ネットワークサーバは端末の唯一の識別番号とユーザ識別カードの唯一の識別番号を記憶するステップと、
移動通信ネットワークサーバは前記ユーザ識別カードにより前記端末へ認証請求を送信するステップと、
端末は現在のユーザ識別カードの唯一の識別番号を読み取り、読み取られた現在のユーザ識別カードの唯一の識別番号と記憶されたユーザ識別カードの唯一の識別番号を比較し、両者が同じである場合、前記端末が正常な作動状態に入り、異なる場合、前記端末が自己ロックするか又は現在のユーザのアクセスを禁止することを含む端末は前記移動通信ネットワークサーバが送信した認証請求により現在のユーザを認証するステップと、を含む他種のユーザ識別カードを用いて端末を暗号化する方法を更に提供する。
【００１１】
該方法は、前記端末が自己ロックするか又は現在のユーザのアクセスを禁止した後、移動通信ネットワークサーバへ前記端末の位置情報を報告することをさらに含む。
【００１２】
該方法は、前記端末が自己ロックするか又は現在のユーザのアクセスを禁止した後、ユーザが設定した暗号化のデータ及び/又はファイル及び/又はフォルダ及び/又は仮想記憶空間を削除すること、をさらに含む。
【００１３】
本発明は、
端末に設置されて、ユーザ識別カードの唯一の識別番号を記憶するように設定される記憶モジュールと、
端末に設置されて、ユーザの操作を検出し、ユーザが設定した認証条件により、現在のユーザ識別カードの唯一の識別番号を読み取り、読み取られた現在のユーザ識別カードの唯一の識別番号と前記記憶モジュールに記憶されたユーザ識別カードの唯一の識別番号を比較するように現在のユーザを認証するように設定される認証モジュールと、
端末に設置されて、認証モジュールの認証結果により端末をロックするか又は現在のユーザのアクセスを禁止するように設定される制御モジュールと、を備えるユーザ識別カードを用いて端末を暗号化するシステムを更に提供する。
【００１４】
前記ユーザが設定した認証条件は、現在のユーザの起動操作を検出する際、現在のユーザを認証することを含む。
【００１５】
前記ユーザが設定した認証条件は、現在のユーザがユーザの設定した暗号化のデータ及び/又はファイル及び/又はフォルダ及び/又は仮想記憶空間をアクセスする際、現在のユーザを認証することを含む。
【００１６】
前記ユーザが設定した認証条件は、ユーザが設定した認証時間又は時間間隔により現在のユーザを認証することを含む。
【００１７】
端末に設置されて、前記端末はロックするか又は現在のユーザのアクセスを禁止した後、移動通信ネットワークサーバへ前記端末の位置情報を報告するように設定される位置報告モジュール、を前記システムは更に備える。
【００１８】
端末に設置されて、前記端末がロックするか又は現在のユーザのアクセスを禁止した後、ユーザが設定した暗号化のデータ及び/又はファイル及び/又はフォルダ及び/又は仮想記憶空間を削除するように設定される削除モジュール、を前記システムは更に備える。
【００１９】
本発明は、
端末に設置されて、ユーザ識別カードの唯一の識別番号を記憶するように設定される記憶モジュールと、
移動ネットワークサーバに設置されて、ユーザ識別カードの唯一の識別番号と端末の唯一の識別番号を記憶するように設定される標識記憶モジュールと、
移動ネットワークサーバに設置されて、前記ユーザ識別カードにより前記端末へ認証請求を送信するように設定される認証請求モジュールと、
端末に設置されて、前記移動通信ネットワークサーバが送信した認証請求により、現在のユーザ識別カードの唯一の識別番号を読み取り、読み取られた現在のユーザ識別カードの唯一の識別番号と前記記憶モジュールに記憶されたユーザ識別カードの唯一の識別番号を比較するように現在のユーザを認証するように設定される認証モジュールと、
端末に設置されて、認証モジュールの認証結果により端末をロックするか又はユーザのアクセスを禁止するように設定される制御モジュールと、を備える他種のユーザ識別カードを用いて端末を暗号化するシステムを更に提供する。
【００２０】
端末に設置されて、端末がロックするか又は現在のユーザのアクセスを禁止した後、移動通信ネットワークサーバへ前記端末の位置情報を報告するように設定される位置報告モジュール、を前記システムは更に備える。
【００２１】
端末に設置されて、端末がロックするか又は現在のユーザのアクセスを禁止した後、ユーザが設定した暗号化のデータ及び/又はファイル及び/又はフォルダ及び/又は仮想記憶空間を削除するように設定される削除モジュール、を前記システムは更に備える。
【発明の効果】
【００２２】
本発明は、ユーザ識別カードを用いて移動端末を暗号化し、端末の暗号化技術を更に安全で信頼でき、ユーザの体験を向上させる。
【図面の簡単な説明】
【００２３】
図面は本発明に対する更なる理解を提供するとともに、明細書の一部を構成し、本発明の実施例とともに本発明を解釈することに用いられ、本発明に対する限制を構成しない。図面において、
【図１】図１は本発明の実施例においてユーザ識別カードを用いて端末を暗号化するシステムのブロック図である。
【図２】図２は本発明の実施例において他種のユーザ識別カードを用いて端末を暗号化するシステムのブロック図である。
【図３】図３は本発明の実施例においてユーザ識別カードを用いて端末を暗号化する方法のフローチャートである。
【図４】図４は本発明の実施例において他種のユーザ識別カードを用いて端末を暗号化する方法のフローチャートである。
【発明を実施するための形態】
【００２４】
以下、図面を参照しながら、本発明の好ましい実施例を説明し、ここで述べた好ましい実施例は本発明を説明と解釈するためのものだけで、本発明を限定するためのものではないことを理解すべきである。
【００２５】
本発明の核心思想は以下の通りである。ユーザ識別カードを用いて端末を暗号化し、特にユーザ識別カードの唯一の識別番号を用いて端末を暗号化し、ユーザは端末にユーザ識別カードの唯一の識別番号を記憶するとともに、暗号化する必要とするデータとファイルなどを選択し、装置を起動する際暗号化システムを起動することを選択してよく、暗号化システムが起動した後、現在のユーザを認証し、読み取られた現在のユーザ識別カードの唯一の識別番号と記憶されたユーザ識別カードの唯一の識別番号を比較し、両者が同じである場合、端末が正常な作動状態に入るように制御し、両者が異なる場合、端末が自己ロックするか又は現在のユーザのアクセスを禁止し、又は移動ネットワークサービスサーバに端末とユーザ識別カードの唯一の識別番号を記憶し、移動ネットワークサービスサーバにより端末へ認証請求を送信し、端末の認証が通過しない際、端末が自己ロックするか又は現在のユーザのアクセスを禁止する。
【００２６】
本発明の実施例におけるユーザ識別カードの唯一の識別番号は、ＩＭＳＩ（International Mobile Subscriber Identifier）、ＩＤ番号、ＭＥＩＤ（Mobile Equipment IDentifier）、 及びＥＳＮ（Emergency Service Number）のような識別番号を含むが、これらに限定されたものではない。
【００２７】
＜装置の実施例１＞
本発明の実施例により、本発明は、ユーザ識別カードを用いて端末を暗号化するシステムを提供し、本システムは、端末によりユーザ識別カードを認証し、認証が通過しない際、端末は自己ロックするか又はユーザのアクセスを禁止し、図１に示すように、システムは、
ユーザ識別カードの唯一の識別番号を記憶するように設定される記憶モジュールと、
ユーザの操作を検出するとともにユーザが設定した認証条件により現在のユーザを認証し、前記現在のユーザを認証することは、端末が現在のユーザ識別カードの唯一の識別番号を読み取り、読み取られた現在のユーザ識別カードの唯一の識別番号と記憶モジュールに記憶されたユーザ識別カードの唯一の識別番号を比較することを指すように設定される認証モジュールと、
認証モジュールの認証結果により端末をロックするか又は現在のユーザのアクセスを禁止するように設定される制御モジュールと、を備える。
【００２８】
上記の認証条件はユーザで設定されてよく、即ち、現在のユーザのユーザ識別カードを認証する条件を設定し、条件は、
端末は現在のユーザの起動操作を検出する際、現在のユーザを認証し、即ち、現在のユーザが起動する際、端末は現在のユーザのユーザ識別カードを認証し、
現在のユーザはユーザが設定した暗号化のデータ及び/又はファイル及び/又はフォルダ及び/又は仮想記憶空間をアクセスする際、現在のユーザを認証し、即ち正常に起動した後、ユーザが設定した暗号化データなどにより、現在のユーザが暗号化データをアクセスする際、端末は現在のユーザ識別カードに対する認証を起動し、及び
ユーザが設定した認証時間又は時間間隔により現在のユーザを認証し、ユーザが設定した認証時間に達する際、現在のユーザのユーザ識別カードを認証し、又はユーザが設定した時間間隔によりユーザ識別カードを循環認証することであってよいが、これらに限定されたものではない。
【００２９】
端末は紛失する際、端末の位置情報を位置決めし、システムは、端末が自己ロックするか又は現在のユーザのアクセスを禁止した後、移動通信ネットワークサーバへ端末の位置情報を報告するための位置報告モジュールを備えてよい。
【００３０】
端末が紛失する際、端末におけるプライバシーが他人に見られることを防止するために、システムに更に削除モジュールを設定してよく、該削除モジュールは、前記端末が自己ロックするか又は現在のユーザのアクセスを禁止した後、ユーザが設定した暗号化のデータ及び/又はファイル及び/又はフォルダ及び/又は仮想記憶空間を削除するように設定される。
【００３１】
＜装置の実施例２＞
本発明の実施例により、本発明は、他種のユーザ識別カードを用いて端末を暗号化するシステムを提供し、本システムは端末によりユーザ識別カードを認証し、認証が通過しない際、端末は移動ネットワークサーバに報告し、更に移動ネットワークサーバにより端末をリバースロックし、図２に示すように、システムは、
端末に設置されて、ユーザ識別カードの唯一の識別番号を記憶するように設定される記憶モジュールと、
移動ネットワークサーバに設置されて、ユーザ識別カードの唯一の識別番号と端末の唯一の識別番号を記憶するように設定される標識記憶モジュールと、
移動ネットワークサーバに設置されて、前記ユーザ識別カードにより前記端末へ認証請求を送信するように設定される認証請求モジュールと、
端末は現在のユーザ識別カードの唯一の識別番号を読み取り、前記読み取られた現在のユーザ識別カードの唯一の識別番号と前記記憶されたユーザ識別カードの唯一の識別番号を比較することを含み、端末に設置されて、前記移動通信ネットワークサーバが送信した認証請求により現在のユーザを認証するように設定される認証モジュールと、
端末に設置されて、認証モジュールの認証結果により端末をロックするか又はユーザのアクセスを禁止するように設定される制御モジュールと、を備える。
【００３２】
端末が紛失する際、端末の位置情報を位置決めするために、端末に、端末が自己ロックするか又は現在のユーザのアクセスを禁止した後、移動通信ネットワークサーバへ端末の位置情報を報告するように設定される位置報告モジュールを更に設定してよい。
【００３３】
端末が紛失する際、端末におけるプライバシーが他人に見られることを防止するために、端末に、端末が自己ロックするか又は現在のユーザのアクセスを禁止した後、ユーザが設定した暗号化のデータ及び/又はファイル及び/又はフォルダ及び/又は仮想記憶空間を削除するように設定される削除モジュールを更に設定してよい。
【００３４】
＜方法の実施例１＞
本発明の実施例にユーザ識別カードを用いて端末を暗号化する方法を開示し、該方法は端末によりユーザ識別カードを認証し、認証が通過しない際、端末が自己ロックするか又はユーザのアクセスを禁止し、図３に示すように、該方法は、
端末がユーザ識別カードの唯一の識別番号を記憶するステップと、
端末がユーザの操作を検出するとともにユーザが設定した認証条件により現在のユーザを認証し、前記現在のユーザを認証することは、端末は現在のユーザ識別カードの唯一の識別番号を読み取り、前記読み取られた現在のユーザ識別カードの唯一の識別番号と前記記憶されたユーザ識別カードの唯一の識別番号を比較し、両者が同じである場合、端末が正常な作動状態に入り、両者が異なる場合、端末をロックするか又は現在のユーザのアクセスを禁止することを指すステップと、
端末をロックした後、移動通信ネットワークサーバへ前記端末の位置情報を報告するステップと、
ユーザが設定した暗号化のデータ及び/又はファイル及び/又はフォルダ及び/又は仮想記憶空間を削除するステップと、を含む。
【００３５】
上記の認証条件はユーザで設定されてよく、即ち現在のユーザのユーザ識別カードを認証する条件を設定し、
端末は現在のユーザの起動操作を検出する際、現在のユーザを認証し、即ち現在のユーザが起動する際、端末は現在のユーザのユーザ識別カードを認証し、
現在のユーザはユーザが設定した暗号化のデータ及び/又はファイル及び/又はフォルダ及び/又は仮想記憶空間をアクセスする際、現在のユーザを認証し、即ち正常に起動した後、ユーザが設定した暗号化データなどにより、現在のユーザは暗号化データをアクセスする際、端末は現在のユーザ識別カードに対する認証を起動し、及び
ユーザが設定した認証時間又は時間間隔により現在のユーザを認証し、ユーザが設定した認証時間に達する際、現在のユーザのユーザ識別カードを認証し、又はユーザが設定した時間間隔によりユーザ識別カードを循環認証するという条件であってよいが、これらに限定されない。
【００３６】
＜方法の実施例２＞
本発明の実施例に他種のユーザ識別カードを用いて端末を暗号化する方法を開示し、該方法は移動ネットワークサーバにより端末へ認証請求を送信し、認証が通過しない際、端末をロックするか又はユーザのアクセスを禁止し、図４に示すように、該方法は、
端末がユーザ識別カードの唯一の識別番号を記憶するステップと、
移動通信ネットワークサーバは端末の唯一の識別番号とユーザ識別カードの唯一の識別番号を記憶するステップと、
移動通信ネットワークサーバは前記ユーザ識別カードにより前記端末へ認証請求を送信するステップと、
端末は、前記移動通信ネットワークサーバが送信した認証請求により現在のユーザを認証し、前記現在のユーザを認証することは、端末が現在のユーザ識別カードの唯一の識別番号を読み取り、前記読み取られた現在のユーザ識別カードの唯一の識別番号と記憶されたユーザ識別カードの唯一の識別番号を比較し、両者が同じである場合、端末が正常な作動状態に入り、異なる場合、端末をロックするか又は現在のユーザのアクセスを禁止することを指すステップと、を含む。
【００３７】
端末が紛失する際、端末の位置情報を位置決めするために、端末に、端末をロックするか又はユーザのアクセスを禁止した後、移動通信ネットワークサーバへ端末の位置情報を報告するための位置報告モジュールを更に設定してよい。
【００３８】
端末が紛失する際、端末におけるプライバシーが他人に見られることを防止するために、端末に、端末をロックするか又はユーザのアクセスを禁止した後、ユーザが設定した暗号化のデータ及び/又はファイル及び/又はフォルダ及び/又は仮想記憶空間を削除するための削除モジュールを更に設定してよい。
【００３９】
ユーザ識別カードと端末は同時に紛失する際、ユーザは関連文書でモバイル通信事業者のサービス所にユーザ識別カードをログオフすることができ、新たなカードを新しく作成して、もとのユーザ識別カードの認証を失敗させるとともに端末をリバースロックする（プライバシーデータの除去を含む）。
【００４０】
最後に以上に記載されたのは、単に本発明の好ましい実施例だけで、本発明を限定するためのものではなく、前記実施例を参照して本発明を詳しく説明したが、当業者にとって、依然として、前記各実施例に記載の技術方案を修正するか、又はその中の一部の技術特徴を等価置き換えすることができる。本発明の精神と主旨から逸脱しない限り、行ったいずれの修正、等価置き換え、改善などは、いずれも本発明の保護範囲に含まれることを説明すべきである。
【産業上の利用可能性】
【００４１】
関連の技術と比べて、本発明の実施形態が提供する方法とシステムは、ユーザ識別カードを利用して移動端末を暗号化し、端末の暗号化技術を更に安全で信頼でき、ユーザの体験を向上させる。
【図１】
2015523820.tif 000003
【図２】
2015523820.tif 000004
【図３】
2015523820.tif 000005
【図４】
2015523820.tif 000006
【国際調査報告】
2015523820.tif 000007
2015523820.tif 000008
2015523820.tif 000009
2015523820.tif 000010
2015523820.tif 000011
2015523820.tif 000012